(57)【要約】【課題】インダクタンスを一定にすることができ、無指向性で通信距離が長く、車両等の導電板に容易に取り付けることができるＲＦタグおよびＲＦタグが取り付けられたＲＦタグ付ナンバープレートを提供することである。【解決手段】  ＲＦタグ１００は、ＩＣチップ５００およびインダクタパターンを含むアタッチメント部２００と、第一領域３１０と第３領域３３０と底板３５０とを有するアンテナ部３００と、が分離して形成され、第一領域３１０と第３領域３３０とは、空間部をおいて平行に配置され、底板３５０は、第一領域３１０と第３領域３３０との方向に対して直交または傾斜するように配置され、アンテナ部にアタッチメント部２００が貼着されることにより、コンデンサが形成され、インダクタパターンとコンデンサとにより共振回路が構成され、読取装置と通信を行うものである。【選択図】図１
2019033440.tif 000002
【特許請求の範囲】
【請求項１】
導電板に取り付けられるＲＦタグであって、
ＩＣチップおよびインダクタパターンを含むインレットと、
第一導波素子、第二導波素子および底板を有するアンテナ部と、が分離して形成され、
前記第一導波素子と前記第二導波素子とは、空間部をおいて平行に配置され、
前記底板は、前記第一導波素子と前記第二導波素子との方向に対して直交または傾斜するように配置され、
前記アンテナ部に前記インレットが貼着されることにより、コンデンサが形成され、
前記インダクタパターンとコンデンサとにより共振回路が構成され、読取装置と通信を行う、ＲＦタグ。
【請求項２】
前記インレットは、
環状形状のうち一部を欠いた形状からなり、当該一部を欠いた形状の両端にＩＣチップが架け渡されるよう配設された、請求項１記載のＲＦタグ。
【請求項３】
前記インレットと、前記アンテナ部との間に絶縁材からなる絶縁層が設けられた、請求項１または２に記載のＲＦタグ。
【請求項４】
前記絶縁材が発泡体である、請求項１乃至３のいずれか１項に記載のＲＦタグ。
【請求項５】
前記アンテナ部のアンテナ長さは、６０ｍｍ下以上１００ｍｍ以下である、請求項１乃至４のいずれか１項に記載のＲＦタグ。
【請求項６】
前記コンデンサの静電容量は、１ＰＦ以上１０ＰＦ以下である、請求項１乃至５のいずれか１項に記載のＲＦタグ。
【請求項７】
さらに前記インレットおよび前記アンテナ部を収容する誘電体の収容部材を含み、
前記底板は導電体であり前記第二導波素子と電気的に接続されており、
前記インレットおよび前記アンテナ部は、前記収容部材内に収容され、
前記底板と前記導電板とが容量結合する、請求項１乃至６のいずれか１項に記載のＲＦタグ。
【請求項８】
前記収容部材は断面形状が略三角形状の収容部を有する筒体である、請求項７に記載のＲＦタグ。
【請求項９】
前記アンテナ部は、前記導電板と電気的に接続される、請求項１乃至８のいずれか１項に記載のＲＦタグ。
【請求項１０】
前記底板は、前記第二絶縁素子から対向する方向に複数の底片を交互に突出させて形成されている、請求項１乃至９のいずれか１項に記載のＲＦタグ。
【請求項１１】
前記第一導波素子と前記第二導波素子は実質的に同一平面上に配置されている、請求項１乃至１０のいずれか１項に記載のＲＦタグ。
【請求項１２】
前記導電板は、車両の導電板である、請求項１乃至１１のいずれか１項に記載のＲＦタグ。
【請求項１３】
前記導電板はナンバープレートである、請求項１乃至１２のいずれか１項に記載のＲＦタグ。
【請求項１４】
請求項１乃至１３のいずれか１項に記載のＲＦタグが取り付けられたＲＦタグ付ナンバープレート。
【請求項１５】
前記ＲＦタグが、ナンバープレートの裏面に取り付けられた、請求項１４に記載のＲＦタグ付ナンバープレート。
【発明の詳細な説明】
【技術分野】
【０００１】
本発明は、導電板に取り付けられるＲＦタグおよびＲＦタグが取り付けられたＲＦタグ付ナンバープレートに関する。
【背景技術】
【０００２】
例えば、特許文献１（特開２０１３−１４５４５０号公報）には、梱包、陳列時のパッケージの向きに影響されることなく通信可能な、ＲＦＩＤ搭載パッケージとその製造方法について開示されている。
【０００３】
特許文献１記載のＲＦＩＤタグ搭載パッケージは、商品を収納するパッケージ本体に、ＩＣチップと送受信用アンテナからなるＩＣタグを搭載し、送受信用アンテナが３次元的な全方向から送受信可能となるよう、三角錐形状の４面体のうち少なくとも隣り合う２面にわたり送受信用アンテナを形成するものである。
【０００４】
特許文献２（特開２００９−２０５３９０号公報）には、導電性容器等の被着体に取り付けることができると共に、外力の作用によって生じる破損の虞を軽減することができ、被着体が繰り返し使用する通い箱等の容器である場合でも、繰り返して使用することができるＲＦＩＤタグについて開示されている。
【０００５】
特許文献２記載のＲＦＩＤタグにおいては、被着体の表面に当接し、被着体の表面と平行に取り付けられる当接部２と、当接部２から略垂直に立設され、非導電性の合成樹脂材料からなる立設部３とを設け、ＩＣチップおよびループアンテナを、ループアンテナのアンテナ軸が立設部３に対して略垂直になるように、立設部３に内蔵することにより、ＲＦＩＤタグ１を被着体に取り付けた際に、ループアンテナ５のアンテナ軸が被着体の表面から所定距離離れ、且つ被着体の表面と略平行に配置されるものである。
【０００６】
特許文献３（特開２００８−２８４９６７号公報）には、導電性平板から出っ張らないようにし、かつ読み取り距離の長いパッシブ型のＲＦＩＤタグを内蔵した車載ナンバープレートについて開示されている。
【０００７】
特許文献３記載の車載ナンバープレートにおいては、ＲＦＩＤタグは、略中央部に配置されたＲＦＩＤチップと、このＲＦＩＤチップの下面に接触してＲＦＩＤチップの左右に延びる２つのアンテナパターン部とを有する。車載ナンバープレート用の導電性平板に切り込み部を形成し、この切り込み部の裏面側にＲＦＩＤタグを配置して、送信電波の周波数に応じて、切り込み部の幅を最適化するため、半永久的に利用可能なパッシブ型のＲＦＩＤタグを用いながら、十分な読み取り距離を確保できるものである。
【０００８】
特許文献４（特開２００１−３５４０８４号公報）には、従来よりも低コストで、故障が少く、車輌情報の改ざんされにくい電子ナンバープレートについて開示されている。
【０００９】
特許文献４記載の電子ナンバープレートにおいては、現用のナンバープレートに装着さるＩＤタグと、ＩＤタグ検出器、ＩＤ送信器及び送信用アンテナを含むナンバーコード検出器とにより構成される電子ナンバープレートであって、ＩＤタグは、ＩＤタグ検出器が送信した電波を受信、変換した電力を用いて記憶している車輌情報を電波で送信し、これをＩＤタグ検出器が受信して車輌情報を検出し、この検出車輌情報をＩＤ送信器が送信用アンテナを介して路側アンテナへ送信するものである。
【先行技術文献】
【特許文献】
【００１０】
【特許文献１】特開２０１３−１４５４５０号公報
【特許文献２】特開２００９−２０５３９０号公報
【特許文献３】特開２００８−２８４９６７号公報
【特許文献４】特開２００１−３５４０８４号公報
【発明の概要】
【発明が解決しようとする課題】
【００１１】
特許文献１は、全方向から送受信可能とするため、複数の送受信用アンテナを複数の面に形成しなくてはならず、構成が複雑になるという問題がある。
特許文献２は、被着体とループアンテナとの距離を離す必要があり、ループアンテナ自身が大きくなるという問題がある。
特許文献３は、ナンバープレートの導電性平版に切り込み部を設ける必要があり、導電性平板の表面全体に保護膜を形成する必要があり、共振周波数を一定にするのが難しいという問題がある。
特許文献４は、ナンバープレートに装着さるＩＤタグのほか、ＩＤタグ検出器、ＩＤ送信器及び送信用アンテナを含むナンバーコード検出器が必要であり、ナンバーコード検出器には車体電源より給電する必要があるという問題があった。
【００１２】
本発明の主な目的は、インダクタンスを一定にすることができ、無指向性で通信距離が長く、導電板に容易に取り付けることができるＲＦタグおよびＲＦタグが取り付けられたＲＦタグ付ナンバープレートを提供することである。
本発明の他の目的は、インダクタンスを一定にすることができ、無指向性で通信距離が長く、車両等の導電板に容易に取り付けることができるＲＦタグおよびＲＦタグが取り付けられたＲＦタグ付ナンバープレートを提供することである。
【課題を解決するための手段】
【００１３】
（１）
一局面に従うＲＦタグは、導電板に取り付けられるＲＦタグであって、ＩＣチップおよびインダクタパターンを含むインレットと、第一導波素子、第二導波素子および底板を有するアンテナ部と、が分離して形成され、第一導波素子と第二導波素子とは、空間部をおいて平行に配置され、底板は、第一導波素子と第二導波素子との方向に対して直交または傾斜するように配置され、アンテナ部にインレットが貼着されることにより、コンデンサが形成され、インダクタパターンとコンデンサとにより共振回路が構成され、読取装置と通信を行うものである。
【００１４】
この場合、インレットとアンテナ部とを貼着することにより、貼着部材を介してコンデンサが形成され、インダクタパターンとともに共振回路を形成する。その結果、ＲＦタグとして読取装置と、送受信を行うことができる。
また、インレットにインダクタパターンを形成しているので、インダクタンスのインピーダンスを一定にすることができる。第一導波素子と第二導波素子とは、平行に配置され空間部を有することにより、第一導波素子と第二導波素子とが電波波長に応じたアンテナ開口面となり、電波の送受信を行うことができる。
また、第一導波素子と第二導波素子との方向に対して底板が直交または傾斜するように配置されるため、第一導波素子と第二導波素子とがアンテナ開口面として他の部材の影響を受けにくく安定的に機能することができる。
【００１５】
（２）
第２の発明にかかるＲＦタグは、一局面に従うＲＦタグにおいて、インレットは、環状形状のうち一部を欠いた形状からなり、当該一部を欠いた形状の両端にＩＣチップが架け渡されるよう配設されてもよい。
【００１６】
この場合、環状形状のうち一部を欠いた形状からなり、当該一部を欠いた形状の両端にＩＣチップが架け渡されるよう配設するので、インダクタンスパターンを環状形状により決定することができる。これによりインダクタンスを一定にすることができる。
【００１７】
（３）
第３の発明にかかるＲＦタグは、一局面または第２の発明にかかるＲＦタグにおいて、インレットと、アンテナ部との間に絶縁材からなる絶縁層が設けられてもよい。
【００１８】
この場合、インレットとアンテナ部との間に、絶縁材からなる絶縁層を設けることにより、コンデンサ容量を決定することができる。特に、誘電率を１以上２以下とすることで、ＲＦタグの感度を向上させることができる。
【００１９】
（４）
第４の発明にかかるＲＦタグは、一局面から第３の発明にかかるＲＦタグのいずれかにおいて、絶縁材が発泡体であってもよい。
【００２０】
この場合、インレットとアンテナ部との間に、発泡体からなる絶縁層を設けることにより、コンデンサ容量を決定することができる。特に、発泡体からなる絶縁層の厚みを０．０１ｍｍ以上０．０５ｍｍ以下とし、貼着面積を８ｍｍ２以上３０ｍｍ２以下とし、誘電率を１以上２以下とすることで、ＲＦタグの感度を向上させることができる。
【００２１】
（５）
第５の発明にかかるＲＦタグは、一局面から第４の発明にかかるＲＦタグのいずれかにおいて、アンテナ部のアンテナ長さは、６０ｍｍ以上１００ｍｍ以下であってもよい。
【００２２】
これにより、電波波長に応じたアンテナ開口面となるため、読取装置との通信を効率よく行うことができる。
【００２３】
なお、本発明におけるアンテナ部の「アンテナ長さ」とは、図２に示すように、アンテナ部の長辺の長さから、アンテナ部に貼着されたインレットの長さを、差し引いた部分の長さＸをいう。
【００２４】
（６）
第６の発明にかかるＲＦタグは、一局面から第５の発明にかかるＲＦタグのいずれかにおいて、コンデンサの静電容量は、１ＰＦ以上１０ＰＦ以下の範囲内であってもよい。
【００２５】
この場合、安定して読取装置と接続を行うことができる。例えば、インレットと、アンテナ部とを張り付けた場合の接触容量は、ポリエチレンテレフタレート（ＰＥＴ厚み６０μｍ）の場合、１ｃｍ平方で２０ＰＦの結合容量が得られる。そのため、９００ＭＨｚで使用する場合、インレットが直列接続されるためのコンデンサの静電容量は、使用周波数がＵＨＦの場合２ＰＦ以上あった方が安定して接続することができる。
なお、望ましくは、１ＰＦ以上１０ＰＦ以下の範囲内であることが望ましく、１．５ＰＦ以上３ＰＦ以下の範囲内であることがより望ましい。
【００２６】
（７）
第７の発明にかかるＲＦタグは、一局面から第６の発明にかかるＲＦタグのいずれかにおいて、さらにインレットおよびアンテナ部を収容する誘電体の収容部材を含み、底板は、導電体であり第二導波素子と電気的に接続されており、インレットおよびアンテナ部は、収容部材に収容され、底板と導電板とが容量結合してもよい。
【００２７】
この場合、導電板と底板とが収容部材からなる誘電体を介して容量結合をするため、導電板がアンテナとして作用する。したがって、無指向性で通信距離が長いＲＦタグにすることができる。また、収容部材を導電板に貼り付けるだけで容量結合をすることができるため、複雑な構成を必要とせず導電板に容易に取り付けることができる。また、収容部材によりＲＦタグを外部環境から保護することができる。
【００２８】
（８）
第８の発明にかかるＲＦタグは、第７の発明にかかるＲＦタグであって、収容部材は断面形状が略三角形状の収容部を有する筒体であってもよい。
【００２９】
この場合、インレットと収容部材の間に空間ができ、また第一導波素子が収容部材と接する面積を小さくすることで、第一導波素子と第二導波素子が形成するアンテナ開口面に対して収容部材の静電容量等の影響を最小限にすることができる。
さらに、三角形状にすることで、ブラスト処理の場合の影響を受け難いため、ＲＦタグが破損し、およびＲＦタグが導電板から乖離することを防止できる。
また、収容部材は、ポリプロピレン、ＡＢＳ、ポリエチレンテレフタレート、ポリイミド、ポリ塩化ビニル等の１種または複数種の樹脂からなることが好ましい。
【００３０】
（９）
第９の発明にかかるＲＦタグは、一局面から第８の発明にかかるＲＦタグのいずれかにおいて、アンテナ部は、導電板と電気的に接続されてもよい。
【００３１】
この場合、導電板がアンテナとして作用するため、無指向性で通信距離が長いＲＦタグにすることができる。また、設置に伴う静電容量のばらつきを抑えることができる。
【００３２】
（１０）
第１０の発明にかかるＲＦタグは、一局面から第９の発明にかかるＲＦタグのいずれかにおいて、底板は、第二絶縁素子から対向する方向に複数の底片を交互に突出させて形成されていてもよい。
【００３３】
この場合、一枚の金属板の一部にスリットを入れて矩形状に前後に折り曲げることで底板を容易に作製することができる。
【００３４】
（１１）
第１１の発明にかかるＲＦタグは、一局面から第１０の発明にかかるＲＦタグのいずれかにおいて、第一導波素子と第二導波素子は実質的に同一平面上に配置されていてもよい。
【００３５】
第一導波素子と第二導波素子は実質的に同一平面上に配置され空間部を有することから、電波波長に応じたアンテナ開口面を効率的に形成することができる。さらに第一導波素子と第二導波素子との方向に対して底板が直交または傾斜するように配置されるため、第一導波素子と第二導波素子が形成するアンテナ開口面に対して他の部材の静電容量等の影響を受けにくく、より安定的に機能することができる。
【００３６】
（１２）
第１２の発明にかかるＲＦタグは、一局面から第１１の発明にかかるＲＦタグのいずれかにおいて、導電板は、車両の導電板であってもよい。
【００３７】
これにより、車両の識別情報を含むＲＦタグを設置することで、比較的離れた場所から複数の識別情報を同時に読み取り、車両の管理をすることができる。
【００３８】
（１３）
第１３の発明にかかるＲＦタグは、一局面から第１２の発明にかかるＲＦタグのいずれかにおいて、導電板はナンバープレートであってもよい。
【００３９】
これにより、車両等の正面または後方から、読取装置を用いてＲＦタグと効率的に通信を行うことができる。また、車両等の識別情報を含むＲＦタグを該車両等に容易に設置し管理することができる。
【００４０】
（１４）
第１３の発明にかかるＲＦタグ付ナンバープレートは、一局面から第１３の発明にかかるＲＦタグが取り付けられている。
【００４１】
導電板であるナンバープレートがアンテナとして作用するため、無指向性で通信距離が長いＲＦタグにすることができる。また、ナンバープレートにはＲＦタグが設置されているため、読取装置によって車両等の識別情報を読み取ることができる。これにより、車両等の管理を確実にすることができる。
【００４２】
（１５）
第１５の発明にかかるＲＦタグ付ナンバープレートは、第１４の発明にかかるＲＦタグ付ナンバープレートにおいて、ＲＦタグが、ナンバープレートの裏面に取り付けられてもよい。
【００４３】
導電板であるナンバープレートがアンテナとして作用するため、無指向性で通信距離が長いＲＦタグにすることができる。したがって、ＲＦタグはナンバープレートの裏面に取り付けることができるため、ナンバープレートの可読性を阻害することがない。
【図面の簡単な説明】
【００４４】
【図１】本実施の形態にかかるＲＦタグの一例を示す模式図である。
【図２】本実施の形態にかかるＲＦタグの平面の一例を示す模式図である。
【図３】本実施の形態にかかるＲＦタグのアタッチメント部の一例を示す模式的拡大平面図である。
【図４】ＲＦタグのアンテナ部の一例を示す模式的平面図である。
【図５】図４のＲＦタグのＡ−Ａ断面の一例を示す模式的断面図である。
【図６】図４のＲＦタグの等価回路の一例を示す図である。
【図７】アタッチメント部およびアンテナ部を貼着する他の例を示すＲＦタグである。
【図８】アンテナ部の他の例を示す模式図である。
【図９】アンテナ部の他の例を示す模式図である。
【図１０】アンテナ部の他の例を示す模式図である。
【図１１】アンテナ部にアタッチメント部を貼着したＲＦタグを示す図である。
【図１２】アンテナ部の他の例を示す模式図である。
【図１３】アンテナ部にアタッチメント部を貼着したＲＦタグを示す図である。
【図１４】ＲＦタグの使用の一例を示す模式図である。
【図１５】図１４のＲＦタグの等価回路の一例を示す図である。
【図１６】図１４のＲＦタグの等価回路の他の例を示す図である。
【発明を実施するための形態】
【００４５】
以下、図面を参照しつつ、本発明の実施の形態について説明する。以下の説明では、同一の部品には同一の符号を付す。また、同符号の場合には、それらの名称および機能も同一である。したがって、それらについての詳細な説明は繰り返さないものとする。
【００４６】
［本実施の形態］
図１は、本実施の形態にかかるＲＦタグ１００の一例を示す模式図である。図２は、本実施の形態にかかるＲＦタグ１００の平面の一例を示す模式図である。図３は、ＲＦタグ１００のアタッチメント部２００の一例を示す模式的拡大平面図であり、図４は、ＲＦタグ１００のアンテナ部３００の一例を示す模式的平面図である。図５は、図２のＲＦタグ１００のＡ−Ａ線断面の一例を示す模式的断面図である。
【００４７】
（ＲＦタグ１００）
図１および図２に示すように、ＲＦタグ１００は、主にアタッチメント部２００およびアンテナ部３００からなる。
また、アタッチメント部２００は、アンテナ部３００と別部材で形成される。アタッチメント部２００を、絶縁層４００によりアンテナ部３００へ貼着することによって、ＲＦタグ１００が形成される。
【００４８】
なお、本発明におけるアンテナ部３００の「アンテナ長さ」とは、図２に示すように、アンテナ部３００の長辺の長さから、アンテナ部３００に貼着されたアタッチメント部２００の長さを、差し引いた部分の長さＸをいう。つまり、アタッチメント２００が貼着されていないアンテナ部３００の長さをいう。
【００４９】
（アンテナ部３００）
アンテナ部３００は、導電性を有する部材からなる。図４に示すように、アンテナ部３００は、第１領域３１０、第２領域３２０および第３領域３３０からなる。さらに、第３領域３３０に底板３５０が連続して連結され、底板３５０は底板３５０ａと底板３５０ｂからなる。第１領域３１０および第３領域３３０は、それぞれ長手方向を有する矩形状の長尺部材からなり、ほぼ同形状である。第１領域３１０および第３領域３３０は並行に配置される。第２領域３２０は、第１領域３１０および第３領域３３０の端部を連通するように形成される。
【００５０】
本実施の形態においては、第１領域３１０の幅はＴ１からなり、第２領域３２０の幅はＴ２からなる。
【００５１】
また、本実施の形態において、アンテナ部３００を構成する第１領域３１０、第２領域３２０、第３領域３３０および底板３５０は金属板からなる。金属板の金属としては、鉄、銅、アルミニウム、銀、ニッケル、それらの合金等を用いてもよい。導電性、加工性およびコストの観点から、金属板の金属はアルミニウムが好ましい。
本実施の形態における金属板は、強度の観点から０．３ｍｍ以上１ｍｍ以下の厚みで形成される。
【００５２】
底板３５０は、第１領域３１０と第３領域３３０との面の方向に対して直交または傾斜するように配置することが好ましい。これにより、第１領域３１０と第３領域３３０とが形成するアンテナ開口面に対して他の部材の静電容量等の影響を受けにくく安定に機能することができる。
また、底板３５０は、一枚の金属板の一部にスリットを入れて矩形状に前後に折り曲げることで第３領域３３０に連続して底板３５０ａと底板３５０ｂからなる底板３５０を作製する。これにより、アンテナ部３００を容易に作製することができる。
【００５３】
また、第１領域３１０と第３領域３３０は実質的に同一平面上に配置することが好ましい。これにより、電波波長に応じたアンテナ開口面を効率的に形成することができる。
【００５４】
アンテナ部３００は、例えば、次のように一枚の金属板を折り曲げおよび切り欠き加工して作製することができる。
図４に示すように、一枚の金属板に細長いスリットを切り欠き、形成されたスリットの両側に、細長い第１領域３１０と第３領域３３０とをそれぞれ形成する。第１領域３１０と第３領域３３０はほぼ平行に配置され、両者の間に空間部が形成される。さらに金属板の端部には第１領域３１０と第３領域３３０を繋ぐ第２領域３２０が形成されるようにする。
第３領域３３０の側から延長された金属板の延長部に複数の切り欠き線を並行に形成し、一対の切り欠き線の間に形成された底片を第３領域３３０の対向する側へ交互に折り曲げる。各底片は第３領域３３０の面に対して直交または傾斜する状態となり、複数の底片により底板３５０が形成される。複数の底片は平面視でジグザグ状（あるいは千鳥状）になり、隣接する底片間に細長い空間が形成される。
【００５５】
（アタッチメント部２００）
図３に示すように、アタッチメント部２００は、ＩＣチップ５００およびインダクタパターンＬを形成する回路２１０を含む。
回路２１０は、環形状の回路部２１１の一部を切欠いた切り欠き部を有する形状からなる。すなわち、具体的には、アルファベット文字のＣ形状からなる。
回路部２１１は、辺２１１ａ、辺２１１ｂ、辺２１１ｃ、辺２１１ｄおよび辺２１１ｅから形成される。
なお、回路２１０は、回路部２１１の一部を切欠く場合について説明したが、これに限定されず、絶縁部を形成してもよい。
【００５６】
本実施の形態において、回路２１０は、アルミニウムの金属薄膜からなる。一般的に本実施の形態における薄膜は３μｍ以上３５μｍ以下の厚みから形成される。
回路２１０は、エッチングまたはパターン印刷等の手法によって形成される。
【００５７】
また、アタッチメント部２００の回路２１０の切り欠き部を架け渡すように、ＩＣチップ５００が設けられる。
本実施の形態においては、アタッチメント部２００においては、回路部２１１の内部面積Ｓにより、インダクタパターンＬのインピーダンスを一定にすることができる。
【００５８】
ＩＣチップ５００は、ＲＦタグ１００のアンテナ部３００が受信した読取装置の電波に基づいて動作する。
具体的に本実施の形態にかかるＩＣチップ５００は、まず、読取装置から送信される搬送波の一部を整流して、ＩＣチップ５００自身が動作するために必要な電源電圧を生成する。そして、ＩＣチップ５００は、生成した電源電圧によって、ＩＣチップ５００内の制御用の論理回路、車両等の固有情報等が格納された不揮発性メモリを動作させる。
【００５９】
また、ＩＣチップ５００は、読取装置との間でデータの送受信を行うための通信回路等を動作させる。
【００６０】
上述したように、アンテナ部３００に対して絶縁層４００を介してアタッチメント部２００が貼着される。アンテナ部３００とアタッチメント部２００とで絶縁層４００が挟持されることにより、コンデンサ（静電容量、キャパシタンス）が形成される。
【００６１】
（絶縁層４００）
図１に示す本実施の形態における絶縁層４００は、両面テープからなる。絶縁層４００は、アタッチメント部２００に設けられる。
なお、本実施の形態においては、絶縁層４００が両面テープからなることとしているが、これに限定されず、他の接着剤の塗布等であってもよい。また、両面テープは、アタッチメント部２００の回路部２１１の全面でなく、一部であってもよい。
本実施の形態において、両面テープを例示したのは、後述するように、ＲＦタグ１００のアタッチメント部２００は、アンテナ部３００に貼着されるため、両面テープの剥離紙を、はがすことにより容易に貼着が可能だからである。
【００６２】
また、本実施の形態においては、アンテナ部３００の第１領域３１０の幅Ｔ１は、アタッチメント部２００の回路部２１１の幅Ｔ２１１の１倍以上４倍以下で形成されることが望ましい。
また、アンテナ部３００の第２領域３２０の幅Ｔ２は、アタッチメント部２００の回路部２１１の幅Ｔ２１２の１倍以上４倍以下で形成されることが望ましい。
また、アタッチメント部２００の回路部２１１の幅Ｔ２１３は、アタッチメント部２００の回路部２１１の幅Ｔ２１２の１倍以上４倍以下で形成されることが望ましい。
【００６３】
なお、本実施の形態においては、絶縁層４００を両面テープにより形成しているが、これに限定されず、発泡スチロール、ポリエチレン、ポリイミド、薄物発泡体（ボラ―ラ）等、絶縁性を有する他の発泡体または素材等の絶縁層を設けてもよい。
【００６４】
（等価回路）
また、図６は、図２のＲＦタグ１００の等価回路の一例を示す図である。
図６に示すように、ＲＦタグ１００の等価回路は、インダクタパターンＬと、コンデンサＣと、ＩＣチップ５００とからなる。インダクタパターンＬ、コンデンサＣおよびＩＣチップ５００は、読取装置から送信される電波の周波数帯域で共振する共振回路を構成する。
この共振回路の共振周波数ｆ［Ｈｚ］は、式（１）により与えられる。共振周波数ｆの値は、読取装置から送信される電波の周波数帯域に含まれるように設定される。
【００６５】
【数１】
2019033440.tif 000003
【００６６】
式（１）において、Ｌａ：インダクタパターンＬのインダクタンス、Ｃａ：コンデンサＣの静電容量、Ｃｂ：ＩＣチップ５００内部の等価容量を意味する。
【００６７】
ここで、ＩＣチップ５００には、内部にコンデンサを含むものがあり、また、ＩＣチップ５００は浮遊容量を有する。そのため、共振回路の共振周波数ｆを設定する場合、ＩＣチップ５００内部の等価容量Ｃｂを考慮することが好ましい。
すなわち、共振回路は、インダクタパターンＬのインダクタンス、コンデンサ２４０の静電容量、およびＩＣチップ５００の内部の等価容量Ｃｂを考慮して設定された共振周波数ｆを有することが好ましい。なお、Ｃｂとしては、例えば、使用するＩＣチップ５００の仕様諸元の一つとして公表されている静電容量値を用いることができる。
【００６８】
上記のように、ＩＣチップ５００内部の等価容量Ｃｂを考慮することで、共振回路の共振周波数ｆを、電波の周波数帯域に精度良く設定することができる。その結果、ＲＦタグ１００の通信性能をさらに向上させることができる。また、ＩＣチップ５００が生成する電源電圧をさらに高くすることができる。
【００６９】
（ＲＦタグ１００の他の例）
図７は、アタッチメント部２００およびアンテナ部３００を貼着する他の例を示すＲＦタグ１００ａである。
【００７０】
図７に示すように、図２で示したＲＦタグ１００の貼着状態に対して１８０度回転させた状態で貼着させてもよい。すなわち、図２に示したのと同形状のアンテナ部３００に、同じく同形状のアタッチメント部２００を、図２で示したアタッチメント２００の貼着状態に対して１８０度回転させた状態で貼着させてもよい。
【００７１】
この実施形態ではアンテナに直接ICチップを搭載するという煩雑さをなくし、容易にアンテナ部を製造できるという利点がある。
（アンテナ部３００の他の例）
図８は、アンテナ部３００の他の例を示す模式図である。
【００７２】
図８に示すように、アンテナ部３００ｂは、図４で示した第１領域３１０の代わりに第１領域３１０ｂを有する。また、第２領域３２０および第３領域３３０によりアルファベットのＬの文字形状が形成され、第１領域３１０ｂの端部と、第３領域３３０との間が第４領域３４０により接続されている。
【００７３】
（アンテナ部３００の他の例）
図９は、アンテナ部３００の他の例を示す模式図である。図９に示すアンテナ部３００ｃは、Ｌ型アンテナの一例である。
【００７４】
図９に示すように、アンテナ部３００ｃは、図４で示したアンテナ部３００の第２領域３２０の代わりに第４領域３４０を有する。
アンテナ部３００ｃは、第１領域３１０の中間部および第３領域３３０の中間部の間を第４領域３４０で接続することにより略Ｈ字形に形成されている。
【００７５】
（アンテナ部３００の他の例）
図１０は、アンテナ部３００の他の例を示す模式図であり、図１１は図１０のアンテナ部３００ｅにアタッチメント部２００を貼着したＲＦタグ１００を示す図である。図１０に示すアンテナ部３００ｅはダイポール型アンテナの一例である。
【００７６】
図１０に示すように、アンテナ部３００ｅは、図４で示したアンテナ部３００の第１領域３１０を２分割し、２分割した第１領域３１０の端部を領域３７１、３７２により第３領域３３０に連結することにより形成されている。
図１１に示すように、領域３７１、３７２、および第３領域３３０の一部にアタッチメント部２００が貼着される。
【００７７】
（アンテナ部３００の他の例）
図１２は、アンテナ部３００の他の例を示す模式図であり、図１３は図１２のアンテナ部３００ｆにアタッチメント部２００を貼着したＲＦタグ１００を示す図である。図１２に示すアンテナ部３００ｆは分岐給電伝送線路型アンテナ（ＳＨＵＮＴ  ＦＥＤ  ＡＮＴＥＮＮＡ）の一例である。
【００７８】
図１２に示すように、アンテナ部３００ｆは、図４で示したアンテナ部３００の第１領域３１０、第２領域３２０、および第３領域３３０からループ形状のアンテナが形成され、第３領域３３０から第５領域３５０が連続している。
図１３に示すように、第１領域３１０の一部、第３領域の一部、第２領域３２０にアタッチメント部２００が貼着される。
【００７９】
（収容部材）
図１４に示すように、本発明のＲＦタグ１００は、アタッチメント部２００およびアンテナ部３００が、収容部材６００に収容される。収容部材６００は合成樹脂の成形品などで形成することができる。この収容部材６００は剛性を有する誘電体である。
図１４に示すように、収容部材６００は断面形状が略三角形状の収容部を有する筒体である。その収容部のサイズはＲＦタグ１００が収容できる程度に形成されている。収容部材の外形は断面形状が略三角形状とされている。
この収容部材６００の外側に三つの外面を有することになり、その内の一つの面が導電板９００に固定される底側面となる。
【００８０】
収容部材６００は、主にポリプロピレン、ＡＢＳ、ポリエチレンテレフタレート、ポリイミド、ポリ塩化ビニル等の１種または複数種の絶縁性のある樹脂または素材を用いてもよい。また、収容部材６００は１種または複数種で構成され、または絶縁被膜処理、防水処理、防塵処理等を行ってもよい。
収容部材６００により、ＲＦタグ１００は保護されるとともに、導電板９００を容易に取り付けることができる。
ＲＦタグ１００は、収容部材６００により物理的に保護されるため、外力、風雨、寒暖、紫外線などの影響を低減することができる。また、収容部材の外形が略三角形状であるため、製造の工程上、ＲＦタグ１００を設置した後にブラスト処理などの加工がされる場合であっても、ＲＦタグ１００が破損し、およびＲＦタグ１００が導電板９００から乖離することを防止できる。
【００８１】
ＲＦタグ１００の底板３５０は、収容部材６００の面の一つと接合し、収容部材の三つの外面のうち底板３５０がある側の面が導電板９００と接合している。これにより、導電板９００と底板３５０とが収容部材６００を介して容量結合をする。
一方で、第１領域３１０は収容部材６００の三つの角面のうち頂角で保持することで接触面積を最低限におさえ、アンテナ開口面に対して他の部材の比誘電率の影響を受けにくく安定に機能することができる。第１領域３１０と収容部材６００との接合面積を小さくすることで、収容部材６００を介して第１領域３１０と第３領域３３０とが静電結合するのを避けることができる。これにより、第１領域３１０と第２領域３２０とが形成するアンテナ開口面に対して他の部材の静電容量等の影響を受けにくく安定に機能することができる。
【００８２】
収容部材６００と底板３５０は、接着剤又は両面テープによりにより接合されてよい。接着剤としては粘着性接着剤、瞬間接着剤、導電性接着剤が挙げられ、容量結合の観点から粘着性接着剤がより好ましい。
導電板９００と底板３５０とが収容部材を介して容量結合をするため、導電板９００がアンテナとして作用する。したがって、無指向性で通信距離に優れたＲＦタグにすることができる。
【００８３】
（ＲＦタグ１００の使用例）
図１４は、ＲＦタグ１００の使用の一例を示す模式図である。図１５は、図１４のＲＦタグ１００の等価回路の一例を示す図である。
【００８４】
図１４に示すように、アタッチメント部２００およびアンテナ部３００を収容した収容部材６００は、車両等の導電板９００に設置される。
設置にあたっては、ＲＦタグ１００のうち底板３５０がある側の面を導電板９００に設置する。これにより、図１５に示すように、導電板９００と底板３５０とが収容部材を介して容量結合をするため、導電板９００がアンテナとして作用する。したがって、無指向性で通信距離が長いＲＦタグ１００にすることができる。
【００８５】
ＲＦタグ１００を収容した収容部材６００は、導電板９００に接着接合により設置される。
接着接合に用いられる接着剤としては粘着性接着剤、ホットメルトが挙げられ、耐久性および容量結合の観点から粘着性接着剤がより好ましい。
また、底板３５０の面積は８０ｍｍ２以上１６０ｍｍ２以下であってよく、８０ｍｍ２以上１２０ｍｍ２以下とすることが好ましい。また、導電板９００に設置される収容部材６００の設置面積は、３２０ｍｍ２以上４８０ｍｍ２以下であってよく、３２０ｍｍ２以上４００ｍｍ２以下とすることが好ましい。また、底板３５０の面積と、収容部材６００が導電板９００に接着接合する面積との比率は、１：４（底板３５０の面積／収容部材６００が導電板９００に接着接合する面積）であることが好ましい。
また、容量結合によって生じる静電容量Ｃｃは、１．５ＰＦ以上５ＰＦ以下とすることが好ましい。導電板９００と底板３５０とが収容部材６００を介して容量結合をするため、導電板９００がアンテナとして作用する。したがって、無指向性で通信距離が長いＲＦタグ１００にすることができる。
【００８６】
この場合、共振回路の共振周波数ｆ［Ｈｚ］は、式（２）により与えられる。共振周波数ｆの値は、読取装置から送信される電波の周波数帯域に含まれるように設定される。
【００８７】
【数２】
2019033440.tif 000004
【００８８】
また、導電板９００は車両のナンバープレートであってもよい。これにより、車両の正面または後方から、読取装置を用いてＲＦタグ１００と効率的に通信を行うことができる。また、車両の識別情報を含むＲＦタグ１００を当該車両に容易に設置し管理することができる。
【００８９】
ナンバープレートへの設置は、ナンバープレートの表面裏面どちらであってもかまわないが、ナンバープレートの可読性を阻害しない観点からは、裏面にＲＦタグ１００を設置することが好ましい。
ＲＦタグ１００をナンバープレートへ設置する際は、ナンバープレートの金属を研磨等により露出させ、接着剤を用いて直接接着接合することが好ましい。これにより、ＲＦタグ１００の設置に伴う静電容量のばらつきを抑えることができる。
【００９０】
（ＲＦタグ１００の他の使用例）
本実施の形態においては、ＲＦタグ１００は収容部材６００を介して導電板９００と容量結合をしているが、他の実施形態においては、アンテナ部３００と導電板９００とを電気的に接続されていてもよい。
この場合、図１６に示すように、収容部材６００を介した容量結合がないため、アンテナ部３００とともに導電板９００がアンテナとして作用し、無指向性で通信距離がより長いＲＦタグ１００にすることができる。また、設置に伴う静電容量のばらつきをなくすことができる。
【００９１】
（ＲＦタグ１００の他の使用例）
本実施の形態においては、ＲＦタグ１００を車両のナンバープレート部分に設置した場合の例示をしたが、これに限らず、導電板９００は金属製の導電する板であれば特に制限はされない。
例えば、建設資材、コンテナ、ドラム缶、鋼板、電気電子機材、車両、船舶および航空機などが挙げられる。これらの本体が導電板を有する場合、ＲＦタグ１００を直接設置してもよいし、本体にナンバープレートなどの導電板を別途設置してもよい。
例えば、ＲＦタグ１００を車両に用いる場合、車両の屋根部分、ボンネット部分にＲＦタグ１００を設置してもよい。また、車両は自動車に限られず、工事、農耕作業車等の特殊車両、二輪車、鉄道などに設置してもよく、さらに車両と一体的に使用される取り外し可能な器具（例えば、油圧ショベルのバケット部分）にＲＦタグ１００を設置してもよい。
なお、ＲＦタグ１００を車両に用いる場合であって、導電板９００を用いない場合、ＲＦタグ１００を車両の窓部分に設置してもよい。
【００９２】
なお、アンテナ部３００は、互いに平行な第１領域３１０および第３領域３３０と、第１領域３１０および第３領域３３０の端部同士を連続させる第２領域３２０とから形成したが、第１領域３１０および第３領域３３０は非平行であってもよい。
【００９３】
以上のように、本実施の形態にかかるＲＦタグ１００においては、アタッチメント部２００と、アンテナ部３００とを貼着することにより、絶縁層４００がコンデンサとなり、共振回路を形成する。その結果、ＲＦタグ１００として読取装置と送受信を行うことができる。
また、アタッチメント部２００にインダクタパターンＬを形成しているので、インダクタンスのインピーダンスを一定にすることができる。
【００９４】
また、回路部２１１のうち一部を欠いた形状からなり、当該一部を欠いた形状の両端にＩＣチップ５００が架け渡されるよう配設するので、インダクタンスパターンを回路部２１１により決定することができる。
【００９５】
さらに、ＲＦタグ１００は誘電体の収容部材６００に収容され、アンテナ３００と導電板９００とが容量結合または電気的に結合している。これにより、無指向性で送受信距離がより長いＲＦタグ１００にすることができる。また、複雑な構成を必要とせずＲＦタグ１００を導電板９００に容易に取り付けることができるとともに、収容部材６００によりＲＦタグ１００を保護することができる。
【００９６】
本発明においては、ＲＦタグ１００が、「ＲＦタグ」に相当し、第１領域３１０が「第一導波素子」に相当し、第３領域３３０が「第ニ導波素子」に相当し、底板３５０が「底板」に相当し、ＩＣチップ５００が「ＩＣチップ」に相当し、インダクタパターンＬが「インダクタパターン」に相当し、アタッチメント部２００が、「インレット」に相当し、アンテナ部３００が「アンテナ部」に相当し、回路部２１１が、「環状形状のうち一部を欠いた形状」に相当し、絶縁層４００が「絶縁層」に相当し、導電板９００が「導電板」に相当する。
【００９７】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００９８】
１００  ＲＦタグ
５００  ＩＣチップ
２００  アタッチメント部
３００  アンテナ
３５０  底板
２１１  回路部
４００  絶縁層
９００  導電板
【図１】
2019033440.tif 000005
【図２】
2019033440.tif 000006
【図３】
2019033440.tif 000007
【図４】
2019033440.tif 000008
【図５】
2019033440.tif 000009
【図６】
2019033440.tif 000010
【図７】
2019033440.tif 000011
【図８】
2019033440.tif 000012
【図９】
2019033440.tif 000013
【図１０】
2019033440.tif 000014
【図１１】
2019033440.tif 000015
【図１２】
2019033440.tif 000016
【図１３】
2019033440.tif 000017
【図１４】
2019033440.tif 000018
【図１５】
2019033440.tif 000019
【図１６】
2019033440.tif 000020